(57)【特許請求の範囲】
【請求項１】
入力側のモジュラージャックに対し、出力側のモジュラージャックを接続してケース内に収容し、これらのモジュラージャック間にノイズフィルタを介在させた通信回線用中継コネクタにおいて、プリント基板（４０）と、このプリント基板（４０）上に実装されるべき入力側及び出力側のモジュラージャック（１０、２０）と、ノイズフィルタをユニット化してプリント基板上に実装するためのリード線群（３０Ｃ、３０Ｄ）を設けると共に入力側のモジュラージャック（１０）側に対応するリード線群（３０Ｃ）の各リード線と、出力側のモジュラージャック（２０）側に対応するリード線群（３０Ｄ）の各リード線同士をクロス接続したフィルタユニット（３０）と、これらを収容するケース（１）を設け、ケース（１）をベース部（２）とカバー部（３）の上下２つに分割すると共に、収容した入力側及び出力側のモジュラージャック（１０、２０）の挿入開口（１０Ａ、２０Ａ）が露出する窓部（２Ａ、３Ａ）をベース部（２）とカバー部（３）の両端に設け、一方、モジュラージャック（１０、２０）の挿入開口の両外側面には突起（１１、２１）を設け、モジュラージャック（１０、２０）をプリント基板（３０）に実装した際に、この突起（１１、２１）の側端面が少なくともベース部（２）の窓部（２Ａ）の裏側に当接するように構成したことを特徴とする通信回線用中継コネクタ。
【発明の詳細な説明】
【０００１】
【発明の属する技術分野】
この発明は、通信回線の屋内配線において、機器間を接続するモジュラープラグ付きのコードを延長するための中継コネクタに関し、特にＩＳＤＮ（サービス総合デジタル網）に接続される屋内配線において有用な中継コネクタに関する。
【０００２】
【従来の技術】
従来、通信回線の屋内配線において機器間を接続するモジュラープラグ付きのコードを延長するために、両端に入力側及び出力側のモジュラージャックを備え、これらをクロス接続した中継コネクタが公知である。
即ち、この中継コネクタを介してモジュラープラグ付きのコード同士を接続することにより、その長さを延長することができた。
【０００３】
【発明が解決しようとする課題】
ところで、ＩＳＤＮに代表されるデジタル回線においては、音声でなく各種のデジタルデータを伝送する関係上、特にノイズには敏感であり、ノイズによりデータが狂うおそれがあった。
そして、中継コネクタを介してコードを延長する場合にはノイズを拾う危険性はより増大した。
【０００４】
この発明はこのような問題点に鑑みて創作されたものであり、コードを延長する機能と共にノイズの混入を防止できる機能を備えた中継コネクタを実現することを目的とする。
【０００５】
一方、中継コネクタにノイズの混入を防止できる機能を備えることは、構造及び内部の配線が複雑化し、組み立て上のネックになることを意味する。
この発明はこのような問題点も考慮したものであり、上記の中継コネクタを特に組み立て容易な構成で実現することも目的とする。
【０００６】
【課題を解決するための手段】
ここでは、上記の目的を達成する中継コネクタとして、入力側のモジュラージャックに対し、出力側のモジュラージャックを接続してケース内に収容した中継コネクタにおいて、これらのモジュラージャック間にノイズフィルタを介在させた構成のものを開示する。
【０００７】
より詳細にはこの発明のコネクタは、プリント基板と、このプリント基板上に実装されるべき入力側及び出力側のモジュラージャックと、ノイズフィルタをユニット化してプリント基板上に実装するためのリード線群を設けると共に入力側のモジュラージャック側に対応するリード線群の各リード線と、出力側のモジュラージャック側に対応するリード線群の各リード線同士をクロス接続したフィルタユニットと、これらを収容するケースを設け、ケースをベース部とカバー部の上下２つに分割すると共に、収容した入力側及び出力側のモジュラージャックの挿入開口が露出する窓部をベース部とカバー部の両端に設け、一方、モジュラージャックの挿入開口の両外側面には突起を設け、モジュラージャックをプリント基板に実装した際に、この突起の側端面が少なくともベース部の窓部の裏側に当接するように構成したことを特徴とする。
【０００８】
【発明の実施の形態】
以下、この発明の中継コネクタの具体的な実施例を添付図面に基づいて説明する。
尚、理解を容易にするために、添付図面においては中継コネクタの上下を反転して図示する。
この中継コネクタはプリント基板４０と、このプリント基板上に実装されるべき入力側及び出力側のモジュラージャック１０、２０と、フィルタユニット３０と、これらを収容するケース１よりなる。
【０００９】
この中継コネクタにおいて、入力側及び出力側のモジュラージャック１０、２０は、挿入開口１０Ａ、２０Ａにモジュラープラグが挿入されることにより、このプラグの接点群が接触バネ片群１０Ｂ、２０Ｂに接触して導通する公知の通信回線用のモジュラージャックである。
尚、図３において図中符号５１はこの場合のモジュラープラグである。
コード５０の一端に設けられるこのモジュラープラグ５１は、上記のモジュラージャックの挿入開口に挿入することにより、このモジュラージャックの接触バネ片群が接点群５１Ｂに接触して導通し、更に係止爪５２によりその抜け止めが防止される公知の通信回線用のモジュラージャック用のプラグである。
【００１０】
一方、フィルタユニット３０はノイズフィルタとして公知のコイルＣ１・・・Ｃ８をケース内に収容したものであり、その底面からはプリント基板４０上にこのユニットを実装するための、入力側のモジュラージャック１０に対応するリード線群３０Ｃ及び、出力側のモジュラージャック２０に対応するリード線群３０Ｄが突設される。
【００１１】
以上の入力側及び出力側のモジュラージャック１０、２０及びフィルタユニット３０はプリント基板４０上に実装されることにより電気的に接続されると共に、プリント基板４０を媒介として一体に固定されることとなる。
そして、プリント基板４０上における各部材の配置は、入力側及び出力側のモジュラージャック１０、２０がプリント基板４０の両端に位置し、フィルタユニット３０はこの中間に位置することとなる。
尚、このプリント基板４０において、図中符号４１は入力側のモジュラージャック１０のリード線群１０Ｃが挿入接続されるべきスルーホール、同じく４２は出力側のモジュラージャック２０のリード線群２０Ｃが挿入接続されるべきスルーホール、同じく４３はフィルタユニット３０のリード線群３０Ｃが挿入接続されるべきスルーホール、同じく４４はフィルタユニット３０のリード線群３０Ｄが挿入接続されるべきスルーホールを指す。
【００１２】
図５及び図６に以上の電気回路の例を示す。
ここでは８芯のモジュラージャック（ＪＩＳ規格、ＪＩＳＸ５１１０）を採用したものを例にとっている。
図中符号Ｌ１・・・Ｌ８は入力側及び出力側のモジュラージャック１０、２０のそれぞれの各接触バネ片であり、モジュラープラグ付きのコード同士を延長のために接続する関係上、これらはクロス接続される。
そして、フィルタユニット３０の各コイルＣ１・・・Ｃ８は、リード線群３０Ｃ及び３０Ｄを介して上記の各接触バネ片Ｌ１・・・Ｌ８同士の間にそれぞれ介在される。
【００１３】
この場合、上記のクロス接続は図５に示すようにプリント基板４０において実現されてもいいが、図６に示すようにフィルタユニット３０において実現されることがより望ましい。
即ち、この場合はフィルタユニット３０のリード線群３０Ｃの各リード線と、出力側のモジュラージャック２０側に対応するリード線群３０Ｄの各リード線同士がクロス接続されるものであるが、この結果プリント基板４０側においてはクロス接続を実現するための複雑なパターンが不要となり、製造が容易となる効果が実現されることとなる。
【００１４】
次に、プリント基板４０上に固定された入力側及び出力側のモジュラージャック１０、２０及びフィルタユニット３０は、ベース部２とカバー部３の上下２つに分割された合成樹脂製のケース１内に収容される。
【００１５】
ベース部２は一面を開放した箱からなり、収容されるべきモジュラージャック１０、２０の挿入開口１０Ａ、２０Ａが露出する窓部２Ａ、２Ａがその長手側両側に設けられる。
同じく、カバー部３は一面を開放した箱からなり、収容されるべきモジュラージャック１０、２０の挿入開口１０Ａ、２０Ａが露出する窓部３Ａ、３Ａがその長手側両側に設けられる。
【００１６】
一方、モジュラージャック１０、２０の挿入開口１０Ａ、２０Ａの両外側面には突起１１、２１を設け、これらのモジュラージャックをプリント基板３０の両端に実装し、ケース１のベース部２に落とし込んだ際に、この突起１１、２１の側端面がベース部２の窓部２Ａ、２Ａの裏側に当接するようにプリント基板３０上におけるモジュラージャック１０、２０の間隔を設定する（図４参照）。
【００１７】
以上の構成よりなるこの中継コネクタの組み立てに当たっては、先ずプリント基板３０に入力側及び出力側のモジュラージャック１０、２０及びフィルタユニット３０を実装することにより、これらを一体に固定し、固定したこれらをケース１のベース部２に落とし込む。
その結果、前記したように、モジュラージャック１０、２０の突起１１、２１の端面がベース部２の窓部２Ａ、２Ａの裏側に当接するので、モジュラージャックの挿入開口１０Ａ、２０Ａが窓部２Ａ、２Ａより露出された状態で、プリント基板３０に固定された各部材のベース部２内における平面方向の移動は防止され、次いでベース部２をカバー部３で被蓋することにより上下方向の移動も防止されることとなる。
この場合、ベース部２とカバー部３とはベース部２の開口端に設けたリブ２Ｂ、２Ｂをカバー部３の開口端に設けた溝３Ｂ、３Ｂに嵌めることにより接合位置が規定され、更に超音波溶接をすることにより固着される。
【００１８】
【発明の効果】
以上のように構成されるこの発明によれば、２本のコードのモジュラープラグをこの中継コネクタの両端の入力側及び出力側のモジュラージャックに接続することにより、２本のコードが延長される中継コネクタとしての効果を奏する他に、収容されたノイズフィルタにより回線へのノイズの混入が防止される効果が得られる。
【００１９】
一方、ノイズフィルタは１本づつモジュラージャックの端子に半田付けされるのでなく、１個のフィルタユニットに纏められ、プリント基板にこのフィルタユニットをモジュラージャックと共に実装し、ケースに収容するだけでコネクタの組み立ては完了するので、極めて製造効率の高い中継コネクタが実現される。
【００２０】
又、両端の入力側及び出力側のモジュラージャックのクロス接続を実現する配線をフィルタユニット内で行うことにより、プリント基板側においてはクロス接続を実現するための複雑なパターンが不要となり、製造が容易となる効果が得られる。
【図面の簡単な説明】
【図１】この発明の通信回線用中継コネクタの分解状態を上下を逆にして観察した斜視図。
【図２】同上、組み立て工程を示す上下を逆にして観察した斜視図。
【図３】同上、使用状態を示す上下を逆にして観察した斜視図。
【図４】同上、ベース部にプリント基板を落とし込んだ状態の一部切り欠き平面図。
【図５】同上、電気回路のブロック図。
【図６】同上、電気回路の異なる例のブロック図。
【符号の説明】
１      ケース
２      ベース部
３      カバー部
１０    入力側のモジュラージャック
２０    出力側のモジュラージャック
３０    フィルタユニット
【図１】
0003568177.tif 000002
【図２】
0003568177.tif 000003
【図３】
0003568177.tif 000004
【図４】
0003568177.tif 000005
【図５】
0003568177.tif 000006
【図６】
0003568177.tif 000007